(57)【要約】【課題】  壁裏空間から床下空間へ配管を連続して配設する作業を、梁や土台の予め決められた位置において効率良く迅速に行うことを可能にする壁裏床下接続金物を提供する。【解決手段】  梁１４の角部分に取り付けて使用する壁裏床下接続金物１０であって、中央部分に矩形状の水平開口１８が形成された枠状の水平プレート部１９と、水平プレート部１９から垂直上方に延設し、水平開口１８と連なる垂直開口２０が形成された上方垂直プレート部２１と、水平プレート部１９に対して垂直下方に設けられた下方垂直プレート部２２と、水平開口１８の一方の側縁部１８ａと垂直開口２０の上縁部２０ａとの間に介在して、斜めに設けられた斜めプレート部２３と、斜めプレート部２３の側縁部２３ａと、水平開口１８の側方側縁部１８ｂとの間に介在して設けられた一対の側面プレート部２４とからなる。【選択図】      図１
2005290841.tif 000002
【特許請求の範囲】
【請求項１】
木造住宅建築物において、梁又は土台の角部分に取り付けられ、前記梁又は土台の上方の壁裏空間と側方の床下又は天井裏空間とを接続して、これらの間に配管や配線を連続して配設するために使用する壁裏床下接続金物であって、
中央部分に矩形状の水平開口が形成された枠状の水平プレート部と、該水平プレート部から垂直上方に延設し、前記水平開口と連なる垂直開口が形成された上方垂直プレート部と、前記水平プレート部に対して垂直下方に設けられた下方垂直プレート部と、前記水平開口の前記上方垂直プレート部と平行な一方の側縁部と前記垂直開口の上縁部との間に介在して、斜めに設けられた斜めプレート部と、該斜めプレート部の側縁部と、前記水平開口の前記上方垂直プレート部と垂直な側縁部との間に介在して設けられた一対の側面プレート部とからなり、
前記配管や配線の配設箇所において、前記水平プレート部の前記下方垂直プレート部を挟んだ前記斜めプレート部とは反対側の部分を前記梁又は土台の上面に接合固定すると共に、前記下方垂直プレート部を前記梁又は土台の側面に接合固定することにより、前記角部分に取り付けられる壁裏床下接続金物。
【請求項２】
前記側面プレート部から前記水平プレート部の下方に各々延設して設けられ、前記下方垂直プレート部と前記水平プレート部との間に介在して、これらが垂直に接合された状態を支持する一対の下方側面プレート部を備える請求項１に記載の壁裏床下接続金物。
【請求項３】
前記垂直開口は、前記水平プレート部の下方まで延設して設けられていると共に、前記水平開口は、前記下方垂直プレート部を挟んだ前記斜めプレート部とは反対側の部分にも延設しており、前記水平開口の前記上方垂直プレート部と平行な他方の側縁部と前記垂直開口の下縁部との間に介在して斜めに延設する下方斜めプレート部を設けて、該下方斜めプレート部を、前記梁又は土台の角部分に切り欠き形成した斜め欠込み面に密着配置しつつ、前記配管や配線の配設箇所に取り付けられる請求項１又は２に記載の壁裏床下接続金物。
【請求項４】
請求項１〜３のいずれかに記載の壁裏床下接続金物を梁又は土台の角部分に取り付け、当該壁裏床下接続金物の内側の筒状接続配管部を介することにより、壁裏空間と床下又は天井裏空間との間に連続して配管や配線を配設する壁裏床下配管構造。
【請求項５】
前記配管や配線を通した前記筒状接続配管部の隙間部分に断熱材又は不燃材を充填することにより、断熱又は防火機能が付与された請求項４記載の壁裏床下配管構造。
【発明の詳細な説明】
【技術分野】
【０００１】
本発明は、木造住宅建築物において、梁又は土台の上方の壁裏空間と側方の床下又は天井裏空間とを接続して、これらの間に配管等を連続して配設するために使用する壁裏床下接続金物、及び壁裏床下配管構造に関する。
【背景技術】
【０００２】
住宅建築物には、水道管や配水管等の配管や、電気用のケーブル、電話線等の配線が配設される。これらの配管や配線は、住宅建築物の構築時に、壁や天井裏、床下等に組み込んで設けることにより居室スペース等から目隠しされて、屋内空間の美感を向上させるような工夫がなされている。また、例えばエアコン等の空調設備やその他の住宅用の設備においては、住宅建築部の構築後に必要に応じて取り付けられるものがあり、これらの設備のための配管は、一般に屋内に露出した部分を生じることになる。
【０００３】
一方、近年、例えばエアコン等の空調設備は、一般家庭においても広く普及し、通常の設備として使用されるようになったことから、これらの空調設備のための配管等を、住宅建築物の構築時に予め壁裏空間等に設けておくことにより、例えば屋内壁面の上部に取り付けた室内機と、屋外に設けた室外機との接続を、天井裏から壁裏空間を経て床下に至る配管を介して、当該配管を屋内に露出させることなく、容易に行えるようした技術も開発されている（例えば、特許文献１参照）。
【特許文献１】特開平５−７９６５９号公報
【発明の開示】
【発明が解決しようとする課題】
【０００４】
特許文献１に記載の技術内容によれば、壁裏空間から床下空間への配管は、床部材を貫通させて床下へ配設するようにしたものであるが、木造の住宅建築物においては、床下地材、床仕上材等の床部材を支持する梁や土台の上方に壁が立設して設けられる場合があり、このような場合には、壁裏空間の下方の梁や土台を貫通して配管や配線を配設することは、構造上或いは作業上困難である。したがって、従来の技術によれば、例えば図５（ａ），（ｂ）に示すように、梁や土台５０の強度に影響の少ない断面欠損が可能な周縁部分の領域において、これらの角部を切り欠くことにより欠込み５１を形成し、この欠込み５１に配管５２や配線を配置して、これらを壁裏空間５３から床下空間５４や天井裏空間に連続配設していた。
【０００５】
しかしながら、上記従来の欠込みを形成する方法によれば、一般に、梁や土台等の骨組部材を組み立てる作業と、配管や配線を行う作業とは、別作業として異なる工種の作業員によって行われることになるため、配管や配線を行う作業員によって、必要以上に断面の欠損を生じつつ欠込みが形成されたり、予定しない箇所に欠込みが形成されてしまうことも多く、別途余分な補強作業等が必要になって、構築作業や配管作業等を効率良く行えない場合がある。したがって、壁裏空間から床下又は天井裏空間へ配管や配線を連続して配設する作業を、梁や土台の予め決められた位置において効率良く迅速に行うことを可能にする技術の開発が望まれている。
【０００６】
本発明は、このような従来の課題に着目してなされたもので、壁裏空間から床下又は天井裏空間へ配管や配線を連続して配設する作業を、梁や土台の予め決められた位置において効率良く迅速に行うことを可能にする壁裏床下接続金物、及び壁裏床下配管構造を提供することを目的とする。
【課題を解決するための手段】
【０００７】
本発明は、木造住宅建築物において、胴差しを含む横架材である梁又は土台の角部分に取り付けられ、前記梁又は土台の上方の壁裏空間と側方の床下又は天井裏空間とを接続して、これらの間に配管や配線を連続して配設するために使用する壁裏床下接続金物であって、中央部分に矩形状の水平開口が形成された枠状の水平プレート部と、該水平プレート部から垂直上方に延設し、前記水平開口と連なる垂直開口が形成された上方垂直プレート部と、前記水平プレート部に対して垂直下方に設けられた下方垂直プレート部と、前記水平開口の前記上方垂直プレート部と平行な一方の側縁部と前記垂直開口の上縁部との間に介在して、斜めに設けられた斜めプレート部と、該斜めプレート部の側縁部と、前記水平開口の前記上方垂直プレート部と垂直な側縁部との間に介在して設けられた一対の側面プレート部とからなり、前記配管や配線の配設箇所において、前記水平プレート部の前記下方垂直プレート部を挟んだ前記斜めプレート部とは反対側の部分を前記梁又は土台の上面に接合固定すると共に、前記下方垂直プレート部を前記梁又は土台の側面に接合固定することにより、前記角部分に取り付けられる壁裏床下接続金物を提供することにより、上記目的を達成したものである。
【０００８】
また、本発明の壁裏床下接続金物によれば、前記側面プレート部から前記水平プレート部の下方に各々延設して設けられ、前記下方垂直プレート部と前記水平プレート部との間に介在して、これらが垂直に接合された状態を支持する一対の下方側面プレート部を備えていることが好ましい。
【０００９】
さらに、本発明の壁裏床下接続金物によれば、前記垂直開口は、前記水平プレート部の下方まで延設して設けられていると共に、前記水平開口は、前記下方垂直プレート部を挟んだ前記斜めプレート部とは反対側の部分にも延設しており、前記水平開口の前記上方垂直プレート部と平行な他方の側縁部と前記垂直開口の下縁部との間に介在して斜めに延設する下方斜めプレート部を設けて、該下方斜めプレート部を、前記梁又は土台の角部分に切り欠き形成した斜め欠込み面に密着配置しつつ、前記配管や配線の配設箇所に取り付けられるようにすることが好ましい。
【００１０】
また、本発明は、上記いずれかに記載の壁裏床下接続金物を梁又は土台の角部分に取り付け、当該壁裏床下接続金物の内側の筒状接続配管部を介することにより、壁裏空間と床下又は天井裏空間との間に連続して配管や配線を配設する壁裏床下配管構造を提供することにより、上記目的を達成したものである。
【００１１】
そして、本発明の壁裏床下配管構造によれば、前記配管や配線を通した前記筒状接続配管部の隙間部分に断熱材又は不燃材を充填することにより、断熱又は防火機能を付与することが好ましい。
【発明の効果】
【００１２】
本発明の壁裏床下接続金物及び壁裏床下配管構造によれば、壁裏空間から床下又は天井裏空間へ配管や配線を連続して配設する作業を、梁や土台の予め決められた位置において効率良く迅速に行うことを可能にすることができる。
【発明を実施するための最良の形態】
【００１３】
本発明の好ましい第１実施形態に係る壁裏床下接続金物１０は、図１に示すように、例えば在来軸組工法による木造住宅建築物において、例えば屋内壁面１５に取り付けられる空調設備であるエアコンに接続される、冷媒管、ドレイン管等の配管１１や電線類等の配線を、木造住宅建築物の構築時に予め壁裏空間１２に配置すると共に、当該壁裏空間１２から床下空間１３まで連続して配設する際に、例えば梁１４の角部分に取り付けて用いられるものである。
【００１４】
すなわち、本第１実施形態によれば、エアコンが取り付けられる屋内壁面１５は、例えば住宅の２階居室部分の壁面であり、この居室部分の床部材１６は、梁１４によって支持される床下地材である厚さが例えば１２〜３６ｍｍの床パネル１６ａと、床パネル１６ａの上面に敷設される床仕上げ材である厚さが例えば９〜１５ｍｍの仕上フロア１６ｂとによって構成されている。また、本第１実施形態によれば、梁１４の上面に支持させた床部材１６から立設して、梁１４の直上部分に柱や間柱等が壁用の骨組み部材として設けられており、これにプラスターボード等の壁部材１７が取り付けられて屋内壁面１５が形成されると共に、壁部材１７の裏側の骨組み部材間の間隔部分が、配管１１や配線を配設可能な壁裏空間１２となっている。本第１実施形態によれば、壁裏床下接続金物１０は、梁１４の上面に配置される床部材１６の全体として例えば２４〜５０ｍｍとなる厚さを有効利用して、梁１４の断面の欠損を抑制しつつ、配管１１や配線を壁裏空間１２から床下空間（天井裏空間）１３まで容易に連続して配設することが可能となるように、梁１４の角部分に取り付けて用いられる。
【００１５】
そして、本第１実施形態の壁裏床下接続金物１０は、梁１４の上方の壁裏空間１２と側方の床下空間１３とを接続して、これらの間に配管１１や配線を連続して配設するために使用する金物であって、図２及び図３（ａ），（ｂ）にも示すように、中央部分に矩形状の水平開口１８が形成された枠状の水平プレート部１９と、この水平プレート部１９から垂直上方に延設し、水平開口１８と連なる垂直開口２０が形成された上方垂直プレート部２１と、水平プレート部１９に対して垂直下方設けられた下方垂直プレート部２２と、水平開口１８の上方垂直プレート部２１と平行な一方の側縁部１８ａと垂直開口２０の上縁部２０ａとの間に介在して、斜めに設けられた斜めプレート部２３と、この斜めプレート部２３の側縁部２３ａと水平開口１８の上方垂直プレート部２１と垂直な側方側縁部１８ｂとの間に介在して設けられた一対の側面プレート部２４とによって構成されている。また壁裏床下接続金物１０は、配管１１や配線の配設箇所において、水平プレート部１９の下方垂直プレート部２２を挟んだ斜めプレート部２３とは反対側の部分１９ａを梁１４の上面に接合固定すると共に、下方垂直プレート部２２を梁１４の側面に接合固定することにより、梁１４の角部分に取り付けて用いられる。
【００１６】
また、本第１実施形態によれば、壁裏床下接続金物１０は、側面プレート部２４から水平プレート部１９の下方に各々延設して設けられ、下方垂直プレート部２２と水平プレート部１９との間に介在して、これらが垂直に接合された状態を支持する一対の下方側面プレート部２５を備えている。
【００１７】
さらに、本第１実施形態によれば、垂直開口２０は、水平プレート部１９の下方まで延設して設けられていると共に、水平開口１８は、下方垂直プレート部２２を挟んだ斜めプレート部２３とは反対側の部分にも延設しており、水平開口１８の上方垂直プレート部２２と平行な他方の側縁部１８ｃと垂直開口２０の下縁部２０ｂとの間に介在して斜めに延設する下方斜めプレート部２６を設けて、この下方斜めプレート部２６を、梁１４の角部分に切り欠き形成した斜め欠込み面２７（図２参照）に密着配置しつつ、壁裏床下接続金物１０は、配管１１や配線の配設箇所に取り付けられている。
【００１８】
本第１実施形態によれば、壁裏床下接続金物１０は、例えば厚さが０．３〜４．０ｍｍの金属製或いは合成樹脂製等のプレート部材に、切断加工、折曲げ加工、接合加工等を施すことにより、上記各プレート部が一体となった、内側に筒状接続配管部２８を備える立体形状となるように容易に形成することができる。ここで、本第１実施形態によれば、水平プレート部１９は、縦横１１０〜１６０ｍｍ程度の矩形の外形形状を備えると共に、１０〜３０ｍｍ程度の幅の帯状外周部分よって周囲を囲まれる内側部分を切り抜くことにより、縦横５０〜１００ｍｍ程度の大きさの、矩形状の水平開口１８を備えることになる。
【００１９】
上方垂直プレート部２１は、縦横７０〜１６０ｍｍ程度の大きさの矩形の外形形状を備えると共に、その一辺部分から縦横５０〜１００ｍｍ程度の大きさの矩形状の切込みが垂直開口２０の主要部分として切り欠かれていることにより、２０〜３０ｍｍ程度の幅の帯板によるコの字形状に形成されている。上方垂直プレート部２１は、水平開口１８の一対の対向する側縁部１８ａ，１８ｃと平行に配置されて水平プレート部１９から立設する共に、水平開口１８と交差するようにしつつ、切込みを下方に向けて水平プレート部１９に接合一体化されている。これによって、垂直開口２０は、水平開口１８と垂直に連なることになると共に、水平開口１８は、下方垂直プレート部２２を挟んだ斜めプレート部２３とは反対側の部分にも延設することになる。
【００２０】
下方垂直プレート部２２は、幅２０〜３０ｍｍ程度、長さ５０〜１００ｍｍ程度の大きさの帯板形状を有しており、後述する一対の下方側面プレート部２５を介して水平開口１８の側方側縁部１８ｂから支持されることにより、水平プレート部１９の下方に間隔をおいて接合一体化されることになる。また本第１実施形態によれば、下方垂直プレート部２２は、上方垂直プレート部２１と略面一に配置されると共に、これの上端辺と水平プレート部１９との間の間隔部分は、上方垂直プレート部２１の切込みと連続して当該切込みと共に垂直開口２０を形成し、且つ垂直開口２０の水平プレート部１９より下方に延設する部分を構成することになる。
【００２１】
斜めプレート部２３は、縦横７０〜１００ｍｍ程度の大きさの矩形形状を備えており、その上端辺を垂直開口２０の上縁部２０ａに沿って接合すると共に、その下端辺を水平開口１８の一方の側縁部１８ａに沿って接合することにより、上方垂直プレート部２１と水平プレート部１９とに跨って斜めに延設した状態で接合一体化されることになる。
【００２２】
側面プレート部２４は、各々、水平開口１８の側方側縁部１８ｂを底辺とし、垂直開口２０の各上端角部を頂点とする３角形状を備えており、その底辺を水平開口１８の側方側縁部１８ｂに沿って接合すると共に、その一方の斜辺を斜めプレート部２３の側縁部２３ａに沿って接合することにより、上方垂直プレート部２１を水平プレート部１９に対して強固に立設させた状態を補強しつつ接合一体化されることになる。また各側面プレート部２４の他方の斜辺２４ａは、各々、上方垂直プレート部２１を挟んだ斜めプレート部２３とは反対側に配置されることになり、これによって、壁裏床下接続金物１０の内側に形成された筒状接続配管部２８の壁裏空間１２側の入口開口２９を、斜め上方に向けて開口させるようになっている。
【００２３】
本第１実施形態によれば、側面プレート部２４から下方に連続して設けられる下方側面プレート部２５は、各々、側面プレート部２４の底辺に沿った、上方垂直プレート部２１から斜めプレート部２３側の水平プレート部１９の先端までを底辺とし、下方垂直プレート部２２の各下端角部を頂点とする主直角３角形部分２５ａと、側面プレート部２４の底辺の上方垂直プレート部２１を挟んだ斜めプレート部２３とは反対側の部分を底辺とし、垂直開口２０の各下端角部を頂点とする副直角３角形部分２５ｂとを連続一体化した形状を備えている。そして主直角３角形部分２５ａと副直角３角形部分２５ｂの連続する底辺を、側面プレート部２４の底辺から水平プレート部１９の下面にかけて接合すると共に、主直角３角形部分２５ａの垂直辺の副直角３角形部分２５ｂよりも下方に突出する部分を、下方垂直プレート部２２の側縁部２２ａに沿って接合することにより、下方垂直プレート部２２を水平プレート部１９に対して垂直に配置されるように強固に支持した状態で、下方側面プレート部２５が接合一体化されることになる。
【００２４】
また、本第１実施形態によれば、水平開口１８の他方の側縁部１８ｃと垂直開口２０の下縁部２０ｂとの間に介在して設けられる下方斜めプレート部２６は、縦横３０〜１００ｍｍ程度の大きさの矩形形状を備えており、その上端辺を水平開口１８の他方の側縁部１８ｃに沿って接合すると共に、その下端辺を垂直開口２０の下縁部２０ｂに沿って接合し、且つその側辺２６ａを下方側面プレート部２５の副直角３角形部分２５ｂの斜辺に沿って接合することにより、梁１４の角部分に切り欠き形成した斜め欠込み面２７に密着配置される部分として接合一体化されることになる。
【００２５】
そして、水平プレート部１９、上方垂直プレート部２１、下方垂直プレート部２２、斜めプレート部２３、側面プレート部２４、下方側面プレート部２５、及び下方斜めプレート部２６によって上述のように組立形成された本第１実施形態の壁裏床下接続金物１０は、略平行に配置された斜めプレート部２３と下方斜めプレート部２６との間に３０〜６０ｍｍ程度の相当の幅の間隔が保持されると共に、両端が開口する筒状接続配管部２８を備える中空ボックス形状に容易に形成されることになり、この筒状接続配管部２８の斜めプレート部２３と下方斜めプレート部２６との間の間隔部分に配管や配線が挿通配置されることになる。
【００２６】
本第１実施形態によれば、壁裏床下接続金物１０は、例えば梁１４に支持させて床部材１６や間柱等を設置する作業に先立って、梁１４の角部分に取り付けて使用する。すなわち、梁１４には、配管１１や配線の配設箇所に、梁１４の強度に影響を及ぼさない欠損可能な断面領域において、予め角部分を切り欠いて斜め欠込み面２７が形成されている。そして、この斜め欠込み面２７に下方斜めプレート部２６を密着配置しつつ、水平プレート部１９の下方垂直プレート部２２を挟んだ斜めプレート部２３とは反対側の部分１９ａを梁１４の上面にビス３０等を用いて接合固定すると共に、下方垂直プレート部２２を梁１４の側面にビス３０等を用いて接合固定することにより、壁裏床下接続金物１０は、配管１１や配線の配設箇所に精度良く位置決めされた状態で強固に取り付けられることになる。
【００２７】
次に、壁裏床下接続金物１０の筒状接続配管部２８を介して、配管１１や配線を壁裏空間１２から床下空間１３まで連続して配設する作業が行われることになる。このような配設作業は、壁裏床下接続金物１０によって明示された配設箇所において、相当の大きさの挿通断面積を備える筒状接続配管部２８を介して、欠込みをさらに拡大したり予定しない箇所に欠込みを形成するといった誤った作業を回避しつつ、容易且つスムーズに行うことが可能になる。
【００２８】
さらに、床部材１６の取り付け作業は、当該床部材１６の梁１４の上面に載置される部分における、壁裏床下接続金物１０と重なる箇所を切り欠いて行われることになる。本第１実施形態によれば、例えば床パネル１６ａの切り欠き周縁部分を、水平プレート部１９の下方垂直プレート部２２を挟んだ斜めプレート部２３側に載置して固定することにより、当該水平プレート部１９によって支持させた状態で床パネル１６ａを設置することが可能になると共に、床パネル１６ａ（床部材１６）と梁１４とが、水平プレート部１９を介して接合固定されることになる。また床仕上げ材である仕上フロア１６ｂは、これに切り欠き周縁部分を斜めプレート部２３に当接させるようにして設置されることになる。
【００２９】
そして、壁部材１７であるプラスターボードは、これの下端部が上方垂直プレート部２１に位置決めガイドされつつ固定されると共に、斜めプレート部２３の上に当接させた状態で設置されることになる。また、床パネル１６ａと壁部材１７との接合角部分を覆って巾木３１が取り付けられることにより、壁裏床下接続金物１０は、居室部分から容易に覆い隠されることになる。さらに、壁部材１７と梁１４とが、上方垂直プレート部２１及び下方垂直プレート部２２を介して接合固定されることになる。
【００３０】
したがって、本第１実施形態によれば、壁裏床下接続金物１１を用いることにより、梁１４の上面に配置される床部材１６の厚さを有効利用しつつ、壁裏空間１２から床下空間１３へ配管１１や配線を連続して配設する作業を、梁１４の予め決められた位置において効率良く迅速に行うことが可能になる。また、本第１実施形態によれば、筒状接続配管部２８は、周囲がプレート部２１，２２，２３，２４，２５，２６によって囲まれているので、ここに例えばスプレー式の発泡断熱材５０を容易に充填することが可能になり、これによって、冷媒管等を挿通する際の断熱機能を容易に付与することが可能になる。すなわち、本第１実施形態によれば、配管１１や配線を通した筒状接続配管部２８の隙間部分に断熱材又は不燃材を充填することにより、壁裏空間１２と床下空間１３とを接続する配管構造に、断熱又は防火機能を容易に付与することが可能になる。なお、断熱材又は不燃材を充填する作業は、手作業によって行っても良い。
【００３１】
図４は、本発明の第２実施形態に係る壁裏床下接続金物４０を用いた壁裏床下配管構造を示すものであり、本第２実施形態によれば、壁裏床下接続金物４０は、水平プレート部４１と、上方垂直プレート部４２と、下方垂直プレート部４３と、斜めプレート部４４と、側面プレート部４５と、下方側面プレート部４６とからなり、垂直開口４７は水平プレート部４１よりも下方に延設することなく、また下方垂直プレート部４３は、水平開口４８の他方の側縁部４８ｃに沿って水平プレート部４１に直接接合されている。
【００３２】
本第２実施形態によれば、壁裏床下接続金物４０は、欠込みが形成されていない梁１４の角部分に取り付けて用いられ、床部材１６の厚さのみを利用して、配管４９や配線を挿通する空間を確保するものである。すなわち、欠込みが形成されていない配管４９や配線の配設箇所において、水平プレート部４１の下方垂直プレート部４６を挟んだ斜めプレート部４４とは反対側の部分４１ａを梁１４の上面に接合固定すると共に、下方垂直プレート部４３を梁１４の側面に接合固定することにより、梁１４の角部分に取り付けられ、壁裏床下接続金物４０の内側の筒状接続配管部５０を介して壁裏空間１２と床下空間１３との間に連続して配管４９や配線を配設することを可能にして、上記第１実施形態と同様の作用効果を奏することになる。
【００３３】
なお、本発明は上記各実施形態に限定されることなく種々の変更が可能である。例えば、本発明の壁裏床下接続金物は、梁のみならず土台に取り付けて用いることもできる。また、上方垂直プレート部と下方垂直プレート部とを略面一に設ける必要は必ずしもなく、梁や土台と壁との相対的な位置関係に応じて、これらをずらして設けることもできる。、
【図面の簡単な説明】
【００３４】
【図１】本発明の第１実施形態に係る壁裏床下接続金物を用いた配管構造を示す断面図である。
【図２】本発明の第１実施形態に係る壁裏床下接続金物の梁部材への取付け状況を説明する斜視図である。
【図３】（ａ）及び（ｂ）は本発明の第１実施形態に係る壁裏床下接続金物を異なる方向から視た斜視図である。
【図４】本発明の第２実施形態に係る壁裏床下接続金物を用いた配管構造を示す断面図である。
【図５】従来の壁裏床下配管構造の一例を説明する、（ａ）は斜視図、（ｂ）は断面図である。
【符号の説明】
【００３５】
１０，４０  壁裏床下接続金物
１１，４９  配管
１２  壁裏空間
１３  床下空間
１４  梁
１５  屋内壁面
１６  床部材
１７  壁部材
１８，４８  水平開口
１８ａ  水平開口の上方垂直プレート部と平行な一方の側縁部
１８ｂ  側方側縁部（水平開口の上方垂直プレート部と垂直な側縁部）
１８ｃ，４８ｃ  水平開口の上方垂直プレート部と平行な他方の側縁部
１９，４１  水平プレート部
１９ａ  水平プレート部の下方垂直プレート部を挟んだ斜めプレート部とは反対側の部分
２０，４７  垂直開口
２０ａ  垂直開口の上縁部
２１，４２  上方垂直プレート部
２２，４３  下方垂直プレート部
２３，４４  斜めプレート部
２３ａ  斜めプレート部の側縁部
２４，４５  側面プレート部
２５，４６  下方側面プレート部
２６  下方斜めプレート部
２７  斜め欠込み面
２８，５０  筒状接続配管部
２９  筒状接続配管部の壁裏空間側の入口開口
５０  断熱材
【図１】
2005290841.tif 000003
【図２】
2005290841.tif 000004
【図３】
2005290841.tif 000005
【図４】
2005290841.tif 000006
【図５】
2005290841.tif 000007